(57)【特許請求の範囲】
【請求項１】
連続する２つのフィールドの加重平均負荷率の平均から算出した総発光パルス数を次フィールドの総発光パルス数とする表示装置の駆動方法であって、
前記次フィールドと前記次フィールドよりも１つ前の現フィールドとの前記加重平均負荷率の平均である第１の平均負荷率と、前記現フィールドと前記次フィールドよりも２つ前の前フィールドとの前記加重平均負荷率の平均である第２の平均負荷率とをそれぞれ算出し、
前記第１の平均負荷率と前記第２の平均負荷率との差の絶対値が所定の閾値を超える場合には、前記第１の平均負荷率から算出した総発光パルス数を前記次フィールドの総発光パルス数とし、
前記第１の平均負荷率と前記第２の平均負荷率との差の絶対値が所定の閾値を超えない場合には、前記第２の平均負荷率から算出した総発光パルス数を前記次フィールドの総発光パルス数とすることを特徴とする表示装置の駆動方法。
【請求項２】
請求項１に記載の表示装置の駆動方法において、
１フレームの画像を奇数フィールドおよび偶数フィールドの２つのフィールドで表示することを特徴とする表示装置の駆動方法。
【請求項３】
２つのフィールドの加重平均負荷率から算出した総発光パルス数を次フィールドの総発光パルス数とする表示装置の駆動方法であって、
１フレームの画像を奇数フィールドおよび偶数フィールドの２つのフィールドで表示する場合に、前記次フィールドと前記次フィールドよりも２つ前の前フィールドの前記加重平均負荷率の差の絶対値を第１の差とし、前記第１の差が所定の第１の閾値を超える場合には、前記次フィールドの前記加重平均負荷率から算出した総発光パルス数を前記次フィールドの総発光パルス数とし、
前記第１の差が前記第１の閾値を超えない場合には、さらに、前記次フィールドと前記次フィールドよりも１つ前の現フィールドの前記加重平均負荷率の差の絶対値を第２の差とし、前記第２の差が所定の第２の閾値を超える場合には、前記次フィールドと前記現フィールドの前記加重平均負荷率のうち、大きい方の前記加重平均負荷率から算出した総発光パルス数を前記次フィールドの総発光パルス数とし、
前記第２の差が前記第２の閾値を超えない場合には、前記現フィールドの前記加重平均負荷率から算出した総発光パルス数を前記次フィールドの総発光パルス数とすることを特徴とする表示装置の駆動方法。
【請求項４】
表示パネル部と、
画像信号を受け取って表示装置に適した画像データを前記表示パネル部に供給し、前記画像信号から表示負荷率を算出して出力するデータコンバータと、
前記表示負荷率を受け取り、次フィールドと前記次フィールドよりも１つ前の現フィールドとの加重平均負荷率の平均である第１の平均負荷率と、前記現フィールドと前記次フィールドよりも２つ前の前フィールドとの前記加重平均負荷率の平均である第２の平均負荷率とをそれぞれ算出し、
前記第１の平均負荷率と前記第２の平均負荷率との差の絶対値が所定の閾値を超える場合には、前記第１の平均負荷率から算出した総発光パルス数を前記次フィールドの総発光パルス数とし、
前記第１の平均負荷率と前記第２の平均負荷率との差の絶対値が所定の閾値を超えない場合には、前記第２の平均負荷率から算出した総発光パルス数を前記次フィールドの総発光パルス数とする電力制御回路とを備えることを特徴とする表示装置。
【請求項５】
請求項４に記載の表示装置において、
前記電力制御回路は、１フレームの画像を奇数フィールドおよび偶数フィールドの２つのフィールドで表示する場合に、前記次フィールドと前記現フィールドとの前記加重平均負荷率の平均である第１の平均負荷率と、前記現フィールドと前記前フィールドとの前記加重平均負荷率の平均である第２の平均負荷率とをそれぞれ算出し、前記第１の平均負荷率と前記第２の平均負荷率との差が所定の閾値を超える場合には、前記第１の平均負荷率から算出した総発光パルス数を前記次フィールドの総発光パルス数とすることを特徴とする表示装置。
【請求項６】
請求項４に記載の表示装置において、
前記電力制御回路は、１フレームの画像を奇数フィールドおよび偶数フィールドの２つのフィールドで表示する場合に、前記次フィールドと前記現フィールドとの前記加重平均負荷率の平均である第１の平均負荷率と、前記現フィールドと前記前フィールドとの前記加重平均負荷率の平均である第２の平均負荷率とをそれぞれ算出し、前記第１の平均負荷率と前記第２の平均負荷率との差が所定の閾値を超えない場合には、前記第２の平均負荷率から算出した総発光パルス数を前記次フィールドの総発光パルス数とすることを特徴とする表示装置。
【請求項７】
表示パネル部と、
画像信号を受け取って表示装置に適した画像データを前記表示パネル部に供給し、前記画像信号から表示負荷率を算出して出力するデータコンバータと、
前記表示負荷率を受け取り、１フレームの画像を奇数フィールドおよび偶数フィールドの２つのフィールドで表示する場合に、
次フィールドと前記次フィールドよりも２つ前の前フィールドの加重平均負荷率の差の絶対値を第１の差とし、前記第１の差が所定の第１の閾値を超える場合には、前記次フィールドの前記加重平均負荷率から算出した総発光パルス数を前記次フィールドの総発光パルス数とし、
前記第１の差が前記第１の閾値を超えない場合には、さらに、前記次フィールドと前記次フィールドよりも１つ前の現フィールドの前記加重平均負荷率の差の絶対値を第２の差とし、前記第２の差が所定の第２の閾値を超える場合には、前記次フィールドと前記現フィールドの前記加重平均負荷率のうち、大きい方の前記加重平均負荷率から算出した総発光パルス数を前記次フィールドの総発光パルス数とし、
前記第２の差が前記第２の閾値を超えない場合には、前記現フィールドの前記加重平均負荷率から算出した総発光パルス数を前記次フィールドの総発光パルス数とする電力制御回路とを備えることを特徴とする表示装置。
【発明の詳細な説明】
【０００１】
【発明の属する技術分野】
本発明は、表示装置およびその駆動方法に関し、特に、プラズマディスプレイパネル（ＰＤＰ：Plasma Display Panel）のような各フィールド内に複数の発光パルスで構成される複数の発光ブロックを有し、その発光ブロックの組み合わせで中間調を表示する表示装置およびそのような表示装置の駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Digital Micromirror Device）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスの最有力候補として考えられている。
【０００３】
例えば、ＰＤＰにおいては、各々のフィールド内に複数の発光パルスで構成される複数の発光ブロック（サブフィールド：ＳＦ）を有し、その発光ブロックの組み合わせで中間調を表示している。このＰＤＰの発光によって消費する電力は、発光に寄与する発光パルス（維持放電パルス：サスティンパルス）の数にほぼ比例しており、それぞれのフィールド内の総発光パルス数を制御することで、ＰＤＰの消費電力を制御することができる。そして、特に、画質の劣化要因を作ることなく発光パルス数の制御（消費電力の制御）を行うことのできる表示装置およびその駆動方法の提供が要望されている。
【０００４】
【従来の技術】
従来、発光パルスの設定は、例えば、表示データからフレーム毎の表示負荷率を計算し、それぞれのフレームでその表示負荷率を基に算出して行われ、表示装置の消費電力が一定値を越えないように制御されている。このような技術を開示する文献としては、例えば、日本国特開平０６−３３２３９７号公報および特開２０００−０９８９７０号公報が挙げられる。
【０００５】
具体的に、特開平０６−３３２３９７号公報は、所定期間中に与えられる所定レベルの画素信号数を積算する積算手段と、この積算手段の積算結果に基づいてパネル駆動周波数を変更する周波数変更手段とを備えたフラットパネルディスプレイ装置を開示しており、また、特開２０００−０９８９７０号公報は、所定期間中に与えられる画素信号数を階調表示のためのビット信号単位で積算する積算手段と、この積算手段の積算結果に基づいて維持放電波形の周波数を変更する周波数変更手段とを備えたプラズマディスプレイ装置を開示している。
【０００６】
図１は本発明が適用される表示装置の一例を示すブロック図であり、プラズマディスプレイ装置（プラズマディスプレイパネル：ＰＤＰ）の一例を示すものである。図１において、参照符号１はデータコンバータ、２はフレームメモリ、３は電力制御回路、４はドライバ制御回路、５は電源、６はアドレスドライバ、７はＹドライバ、８はＸドライバ、そして、９は表示パネルを示している。
【０００７】
図１に示されるように、データコンバータ１は、外部からの画像信号および垂直同期信号Ｖsyncを受け取って、ＰＤＰ用のデータ（複数の発光ブロック（サブフィールドＳＦ）により画像を表示するためのデータ）に変換する。フレームメモリ２は、データコンバータ１でＰＤＰ用に変換された次のフィールド用のデータを保持する。そして、データコンバータ１は、それまでフレームメモリ２に保持されていたデータをアドレスドライバ６へアドレスデータとして供給すると共に、表示負荷率をドライバ制御回路４に与える。ここで、表示負荷率とは、各発光ブロックにおける点灯セル（発光するドット）の数をカウントして得られる負荷率である。
【０００８】
ドライバ制御回路４は、電力制御回路３から各発光ブロック（ＳＦ）の発光パルス数（サスティンパルス数）の制御信号および内部で発生された垂直同期信号Ｖsync2を受け取って、Ｙドライバ８に駆動制御データを供給する。なお、データコンバータ１からの表示負荷率のデータ信号は、ドライバ制御回路４を介して電力制御回路３に供給される。
【０００９】
表示パネル９には、アドレス電極Ａ１〜Ａｍ、Ｙ電極Ｙ１〜ＹｎおよびＸ電極Ｘが設けられていて、それぞれアドレスドライバ６、Ｙドライバ７およびＸドライバ８により駆動される。電源５は、アドレスドライバ６、Ｙドライバ７およびＸドライバ８に対して電力を供給すると共に、これらアドレスドライバ６、Ｙドライバ７およびＸドライバ８に対する電圧および電流を検出して電力制御回路３に与える。すなわち、アドレスドライバ６のアドレス電圧および電流、並びに、Ｙドライバ７およびＸドライバ８のサスティン電圧および電流の検出値が電源５から電力制御回路３に供給され、電力制御回路３における処理に使用される。ここで、表示パネル部は、アドレスドライバ６、Ｙドライバ７、Ｘドライバ８および表示パネル９を備えて構成される。
【００１０】
図２は図１に示す表示装置における駆動方法の一例を説明するための図である。
【００１１】
図２に示す駆動方法は、１フレームの画像を奇数および偶数の２つのフィールドでインターレースにより表示するもので、各奇数フィールドおよび偶数フィールドは、それぞれ複数の発光ブロック（サブフィールド：例えば、７つのサブフィールドＳＦ０〜ＳＦ６）で構成される。各発光ブロックＳＦ０〜ＳＦ６は、アドレスデータに応じて点灯セルのアドレス放電を行うアドレス期間、および、選択されたセル（点灯セル）に対して発光パルス（サスティンパルス）を与えて発光させる発光期間（維持放電期間）を有している。
【００１２】
図３は従来の表示装置における駆動方法の一例を示すフローチャートであり、主として前述した図１の電力制御回路３で行われる消費電力の制限処理を説明するためのものである。
【００１３】
図３に示されるように、電力制限処理が開始されると、ステップＳＴ１０１において、画像データを入力し、ステップＳＴ１０２に進んで、データコンバータ１により各発光ブロック（サブフィールドＳＦ）の表示負荷率を決定し、さらに、ステップＳＴ１０３で表示負荷率による発光パルス数の決定処理を行う。
【００１４】
また、ステップＳＴ１０１〜ＳＴ１０３の処理と並行して、ステップＳＴ１０４において、電源５から検出されたサスティン電流・電圧により次フィールドの消費電力を決定し、さらに、ステップＳＴ１０５に進んで、ステップＳＴ１０４で決定された消費電力により電力制御発光パルス数ＷＳＵＳを算出する。これにより、消費電力による電力制御発光パルス数ＷＳＵＳが得られることになる。
【００１５】
負荷率による発光パルス数の決定処理を行うステップＳＴ１０３では、まず、ステップＳＴ１３１において、次フィールドの加重平均負荷率を決定し、ステップＳＴ１３２に進んで、次フィールドの加重平均負荷率による発光パルス数ＷＩＴＳＵＳ１を算出する。ここで、加重平均負荷率とは、各発光ブロック（サブフィールド：例えば、ＳＦ０〜ＳＦ６）における発光の重み（輝度）を考慮した平均負荷率である。
【００１６】
さらに、ステップＳＴ１３３に進んで、現フィールドの加重平均負荷率による発光パルス数ＷＩＴＳＵＳ２を算出して、ステップＳＴ１３４に進む。ステップＳＴ１３４では、上記ステップＳＴ１３２およびＳＴ１０５で算出した次フィールドの加重平均負荷率による発光パルス数ＷＩＴＳＵＳ１と現フィールドの加重平均負荷率による発光パルス数ＷＩＴＳＵＳ２との差の絶対値が所定の値Ｎよりも大きいかどうか（｜ＷＩＴＳＵＳ１−ＷＩＴＳＵＳ２｜＞Ｎ？）を判別する。ここで、現フィールドは、次フィールドよりも１つ前のフィールドである。
【００１７】
ステップＳＴ１３４において、｜ＷＩＴＳＵＳ１−ＷＩＴＳＵＳ２｜＞Ｎが成立すると判別されると、ステップＳＴ１３５に進んで、次フィールドの加重平均負荷率による発光パルス数ＷＩＴＳＵＳ１を負荷率による発光パルス数ＷＩＴＳＵＳとして規定（ＷＩＴＳＵＳ＝ＷＩＴＳＵＳ１）する。一方、ステップＳＴ１３４において、｜ＷＩＴＳＵＳ１−ＷＩＴＳＵＳ２｜＞Ｎが成り立たないと判別されると、ステップＳＴ１３６に進んで、現フィールドの加重平均負荷率による発光パルス数ＷＩＴＳＵＳ２を負荷率による発光パルス数ＷＩＴＳＵＳとして規定（ＷＩＴＳＵＳ＝ＷＩＴＳＵＳ２）する。すなわち、次フィールドのＷＩＴＳＵＳ１と現フィールドのＷＩＴＳＵＳ２との差が所定の値Ｎよりも小さい場合には、現フィールドのＷＩＴＳＵＳ２をそのまま負荷率による発光パルス数ＷＩＴＳＵＳとして維持する。
【００１８】
このようにして、ステップＳＴ１０３で負荷率による発光パルス数ＷＩＴＳＵＳが決まると、ステップＳＴ１０６において、負荷率による発光パルス数ＷＩＴＳＵＳと消費電力による電力制御発光パルス数ＷＳＵＳとの比較を行う。すなわち、ステップＳＴ１０６では、負荷率による発光パルス数ＷＩＴＳＵＳがステップＳＴ１０５で求められた消費電力による電力制御発光パルス数ＷＳＵＳよりも小さいかどうか（ＷＩＴＳＵＳ＜ＳＵＳ？）を判別する。
【００１９】
ステップＳＴ１０６において、ＷＩＴＳＵＳ＜ＳＵＳが成立すると判別されると、ステップＳＴ１０７に進んで、次フィールドの発光パルス数ＳＵＳを負荷率による発光パルス数ＷＩＴＳＵＳとして規定（ＳＵＳ＝ＷＩＴＳＵＳ）して処理を終了する。一方、ステップＳＴ１０６において、ＷＩＴＳＵＳ＜ＳＵＳが成り立たないと判別されると、ステップＳＴ１０８に進んで、次フィールドの発光パルス数ＳＵＳを消費電力による電力制御発光パルス数ＷＳＵＳとして規定（ＳＵＳ＝ＷＳＵＳ）して処理を終了する。すなわち、負荷率による発光パルス数ＷＩＴＳＵＳおよび消費電力による電力制御発光パルス数ＷＳＵＳの内、小さい方の発光パルス数が次フィールドの発光パルス数ＳＵＳとして決められる。
【００２０】
【発明が解決しようとする課題】
ところで、例えば、１フレームの画像を奇数および偶数の２つのフィールドでインターレース表示する場合、奇数フィールドと偶数フィールドでそれぞれ１ライン飛びの映像を表示しているため、その負荷率に差があるとフリッカが発生し易い。
【００２１】
実際のテレビ映像では、奇数および偶数の両フィールド間で負荷率が大きく異なることは殆ど無いが、例えば、表示装置の画面フォーマットと異なるディジタル映像を表示する場合には、補完等の変換によりデータを作成するため、変換方法によっては奇数および偶数フィールド間で負荷率差が大きくなることがある。具体的に、テレビ映像を表示するためのＰＤＰに対してＸＧＡ（１０２４×７６８）の画像を表示する場合、例えば、所定の補完方法を使用してデータを変換するが、このとき、奇数フィールドと偶数フィールド間で負荷率の差が大きくなることがある。
【００２２】
図４は図３の駆動方法を適用した表示装置における輝度特性および電力特性を示す図であり、図４（ａ）および図４（ｂ）は、奇数フィールド（ＯＤＤ）と偶数フィールド（ＥＶＥＮ）で負荷率が大きく異なる場合の輝度特性および消費電力特性を示すものである。
【００２３】
図４（ｂ）に示されるように、図３を参照して説明した従来の表示装置の駆動方法によれば、消費電力Ｗを一定の値Ｗ１に保持することはできるものの、図４（ａ）に示されるように、輝度Ｂが奇数フィールドの輝度Ｂ１と偶数フィールドの輝度Ｂ２とで異なってしまう。すなわち、図３の従来の駆動方法は、電力Ｗを一定値Ｗ１に保つために発光パルス数が変動するため、奇数フィールドと偶数フィールドで負荷率が大きく異なると、奇数フィールドと偶数フィールド間で輝度差Ｂ１，Ｂ２が生じ、それがフリッカとして視認される。
【００２４】
前述した従来の駆動方法では、フィールド間での微少な負荷率の変動に対して、フリッカが発生しないようにヒステリシス（ステップＳＴ１３４の処理：所定の値Ｎ）を設定している。そのため、負荷率が小さく変動する場合には、フリッカの発生を防止することはできるが、負荷率がフィールド間で大きく変動し且つそれを繰り返す場合には、フリッカが発生してしまう。
【００２５】
本発明は、上述した従来の表示装置における課題に鑑み、フリッカ等の画質の劣化を招くことなく消費電力の制御を行うことのできる表示装置およびその駆動方法を提供することを目的とする。
【００２６】
【課題を解決するための手段】
本発明の第１の形態によれば、少なくとも２つのフィールドの表示負荷率の平均に基づいてフィールド内の総発光パルス数を制御することを特徴とする表示装置の駆動方法が提供される。
【００２７】
本発明の第２の形態によれば、少なくとも３つのフィールドの表示負荷率の平均に基づいてフィールド内の総発光パルス数を制御することを特徴とする表示装置の駆動方法が提供される。
【００２８】
本発明の第３の形態によれば、少なくとも２つのフィールドの表示負荷率の比較に基づいてフィールド内の総発光パルス数を制御することを特徴とする表示装置の駆動方法が提供される。
【００２９】
本発明の第４の形態によれば、表示パネル部と、画像信号を受け取って表示装置に適した画像データを該表示パネル部に供給し、該画像信号から表示負荷率を算出して出力するデータコンバータと、前記表示パネル部に電力を供給すると共に、該表示パネル部で消費される電力情報を出力する電源部と、前記表示負荷率および前記消費電力情報を受け取り、前記表示負荷率および前記消費電力情報を受け取り所定の処理を行う電力制御回路とを備えることを特徴とする表示装置が提供される。
【００３０】
上記表示装置の駆動方法は、予め定められた発光パルスで発光する複数の発光ブロックを組み合わせて中間調表示を行うものであってもよい。
【００３１】
すなわち、本発明の第１の形態の駆動方法によれば、例えば、次フィールドと現フィールドといった２つのフィールドにおける表示負荷率の平均を取り、その負荷率を基に次フィールドで使用する発光パルス数を決定する。
【００３２】
また、本発明の第２の形態の駆動方法によれば、例えば、次フィールド、次フィールドより１フィールド前の現フィールドおよび次フィールドより２フィールド前の前フィールドの表示負荷率の平均を取り、その負荷率を基に次フィールドで使用する発光パルス数を決定する。
【００３３】
本発明の第３の形態によれば、例えば、次フィールドと現フィールドといった２つのフィールドにおける表示負荷率の比較に基づいて、次フィールドで使用する発光パルス数を決定する。
【００３４】
さらに、本発明の第４の形態の表示装置において、電力制御回路は、少なくとも２つのフィールドの表示負荷率の平均に基づき、或いは、第１のフィールドの表示負荷率と、該第１のフィールドよりも１つ前の第２のフィールドの表示負荷率とを比較し、その中で表示負荷率の大きい方のフィールドの負荷率に基づいて、表示負荷率に基づいた発光パルス数を規定し、さらに、この表示負荷率に基づいた発光パルス数と、消費電力に基づいた発光パルス数とを比較し、その発光パルス数が小さい方をフィールド内の総発光パルス数として制御するように構成してもよい。
【００３５】
そして、本発明によれば、例えば、インターレース表示の奇数および偶数フィールド間で表示負荷率が大きく異なる場合に発生するフリッカを抑制することができる。
【００３６】
なお、本明細書において、「フィールド」なる文言は、例えば、１フレームの画像をインターレース表示する奇数および偶数の２つのフィールドで構成する場合を想定して使用しているが、例えば、１フレームの画像をプログレッシブ表示する場合には、「フィールド」なる文言はそのまま「フレーム」に置き換えて適用することができる。
【００３７】
【発明の実施の形態】
以下、本発明に係る表示装置およびその駆動方法の実施例を図面に従って詳述する。なお、本発明に係る表示装置およびその駆動方法は、インターレース方式のＰＤＰに限定されるものでなく、様々な表示装置に対して幅広く適用することができる。
【００３８】
図５および図６は本発明に係る表示装置における駆動方法の一例を示すフローチャートであり、主として前述した図１の電力制御回路３で行われる消費電力の制限処理を説明するためのものである。なお、本発明の実施例が適用される表示装置は、基本的には前述した図１および図２を参照して説明したのと同様の構成とされており、その説明は省略する。
【００３９】
図５に示されるように、電力制限処理が開始されると、ステップＳＴ１において、画像データを入力し、ステップＳＴ２に進んで、データコンバータ１により各発光ブロック（ＳＦ）の表示負荷率を決定し、さらに、ステップＳＴ３で表示負荷率による発光パルス数の決定処理を行う。
【００４０】
また、ステップＳＴ１〜ＳＴ３の処理と並行して、ステップＳＴ４において、電源５から検出されたサスティン電流・電圧により次フィールドの消費電力を決定し、さらに、ステップＳＴ５に進んで、ステップＳＴ４で決定された消費電力により電力制御発光パルス数ＷＳＵＳを算出する。これにより、消費電力による電力制御発光パルス数ＷＳＵＳが得られることになる。
【００４１】
負荷率による発光パルス数の決定処理を行うステップＳＴ３では、まず、ステップＳＴ３１において、次フィールドの加重平均負荷率ＷＥＩＧＨＴ１を決定し、さらに、ステップＳＴ３２に進んで、次フィールドよりも１フィールド前の現フィールドの加重平均負荷率ＷＥＩＧＨＴ２並びに次フィールドよりも２フィールド前の前フィールドの加重平均負荷率ＷＥＩＧＨＴ３を決定して、ステップＳＴ３３に進む。ステップＳＴ３３では、次フィールドの加重平均負荷率ＷＥＩＧＨＴ１と現フィールドの加重平均負荷率ＷＥＩＧＨＴ２の平均である第１の平均負荷率ＷＥＩＧＨＴＡ（＝（ＷＥＩＧＨＴ１＋ＷＥＩＧＨＴ２）／２）を算出し、さらに、ステップＳＴ３４に進む。
【００４２】
ステップＳＴ３４では、現フィールドの加重平均負荷率ＷＥＩＧＨＴ２と前フィールドの加重平均負荷率ＷＥＩＧＨＴ３の平均である第２の平均負荷率ＷＥＩＧＨＴＢ（＝（ＷＥＩＧＨＴ２＋ＷＥＩＧＨＴ３）／２）を算出する。そして、ステップＳＴ３５に進んで、上記ステップＳＴ３３およびＳＴ３４で算出した第１の平均負荷率ＷＥＩＧＨＴＡと第２の平均負荷率ＷＥＩＧＨＴＢとの差の絶対値が所定の値Ｍよりも大きいかどうか（｜ＷＥＩＧＨＴＡ−ＷＥＩＧＨＴＢ｜＞Ｍ？）を判別する。
【００４３】
ステップＳＴ３５において、｜ＷＥＩＧＨＴＡ−ＷＥＩＧＨＴＢ｜＞Ｍが成立すると判別されると、ステップＳＴ３６に進んで、第１の平均負荷率ＷＥＩＧＨＴＡを負荷率による発光パルス数ＷＩＴＳＵＳとして規定（ＷＩＴＳＵＳ＝ＷＥＩＧＨＴＡ）する。一方、ステップＳＴ３５において、｜ＷＥＩＧＨＴＡ−ＷＥＩＧＨＴＢ｜＞Ｍが成り立たないと判別されると、ステップＳＴ３７に進んで、第２の平均負荷率ＷＥＩＧＨＴＢを負荷率による発光パルス数ＷＩＴＳＵＳとして規定（ＷＩＴＳＵＳ＝ＷＥＩＧＨＴＢ）する。すなわち、第１の平均負荷率ＷＥＩＧＨＴＡと第２の平均負荷率ＷＥＩＧＨＴＢとの差が所定の値Ｍよりも小さい場合には、第２の平均負荷率ＷＥＩＧＨＴＢをそのまま負荷率による発光パルス数ＷＩＴＳＵＳとする。
【００４４】
このようにして、負荷率による発光パルス数の決定処理ステップＳＴ３において、負荷率による発光パルス数ＷＩＴＳＵＳが決まると、ステップＳＴ６において、負荷率による発光パルス数ＷＩＴＳＵＳがステップＳＴ５で求められた消費電力による電力制御発光パルス数ＷＳＵＳよりも小さいかどうか（ＷＩＴＳＵＳ＜ＳＵＳ？）を判別する。
【００４５】
ステップＳＴ６において、ＷＩＴＳＵＳ＜ＷＳＵＳが成立すると判別されると、ステップＳＴ７に進んで、次フィールドの発光パルス数ＳＵＳを負荷率による発光パルス数ＷＩＴＳＵＳとして規定（ＳＵＳ＝ＷＩＴＳＵＳ）して処理を終了する。一方、ステップＳＴ６において、ＷＩＴＳＵＳ＜ＷＳＵＳが成り立たないと判別されると、ステップＳＴ８に進んで、次フィールドの発光パルス数ＳＵＳを消費電力による電力制御発光パルス数ＷＳＵＳとして規定（ＳＵＳ＝ＷＳＵＳ）して処理を終了する。すなわち、負荷率による発光パルス数ＷＩＴＳＵＳおよび消費電力による電力制御発光パルス数ＷＳＵＳの内、小さい方の発光パルス数が次フィールドの発光パルス数ＳＵＳとして決められる。
【００４６】
このように、図５および図６に示す実施例では、例えば、インターレース駆動において、奇数フレームと偶数フレームの表示負荷率が大きく異なる場合に、２フィールドを１フレームと考え、このフレーム単位で電力を制御するようになっている。
【００４７】
これにより、例えば、奇数フィールドと偶数フィールドでそれぞれの負荷率が異なり、且つ、それが繰り返す場合においても、フレーム単位で制御を行うことにより、奇数フィールドと偶数フィールド間で発光パルス数が変動せず、その結果、フリッカの発生を抑制し、また、輝度も一定に保つことができる。
【００４８】
図７は図５および図６の駆動方法を適用した表示装置における輝度特性および電力特性を示す図である。
【００４９】
図７に示されるように、図５および図６を参照して説明した駆動方法は、表示負荷率の平均から発光パルス数を決定するため、輝度（Ｂ３）を図４（ａ）における輝度Ｂ１とＢ２の中間値（平均値）にすることができ、その結果、フリッカの発生を防止して画質の劣化を防ぐことができる。ただし、本実施例の場合には、前述した図４（ｂ）における一定の消費電力Ｗ１に対して、奇数フィールドおよび偶数フィールドに対応して消費電力がＷ３およびＷ２と変化することになる。
【００５０】
すなわち、表示負荷率が２フィールドの平均値より大きいフィールド（偶数フィールド）では、規定された発光パルス数よりも多くなって輝度は設計値よりも高くなり、その結果、消費電力が設計値よりも大きくなる。一方、表示負荷率が２フィールドの平均値よりも小さいフィールド（奇数フィールド）では、規定された発光パルス数よりも少なくなって輝度が設計値よりも低くなり、その結果、消費電力が設計値よりも小さくなる。
【００５１】
図８は本発明に係る表示装置における駆動方法の他の例を示すフローチャートである。
【００５２】
図８と図５および図６との比較から明らかなように、ステップＳＴ１，ＳＴ２，ＳＴ４〜ＳＴ８は、上述した図５および図６の駆動方法と同様の処理であり、ここではその説明を省略する。すなわち、図８に示す本実施例の駆動方法は、図５および図６の駆動方法におけるステップＳＴ３をステップＳＴ９に差し替えたものに相当する。
【００５３】
本実施例の電力制限処理は、図８に示されるように、ステップＳＴ２でデータコンバータ１により各発光ブロック（ＳＦ）の表示負荷率を決定した後、ステップＳＴ９で表示負荷率による発光パルス数の決定処理を行うが、まず、ステップＳＴ９１において、次フィールドの加重平均負荷率ＷＥＩＧＨＴ１および次フィールドよりも１フィールド前の現フィールドの加重平均負荷率ＷＥＩＧＨＴ２を決定すると共に、次フィールドよりも２フィールド前の前フィールドの加重平均負荷率ＷＥＩＧＨＴ３を決定して、ステップＳＴ９２に進む。
【００５４】
ステップＳＴ９２では、上記ステップＳＴ９１で算出した次フィールドの加重平均負荷率ＷＥＩＧＨＴ１と前フィールドの加重平均負荷率ＷＥＩＧＨＴ３との差の絶対値が所定の値Ｌよりも大きいかどうか（｜ＷＥＩＧＨＴ１−ＷＥＩＧＨＴ３｜＞Ｌ？）を判別する。
【００５５】
ステップＳＴ９２において、｜ＷＥＩＧＨＴ１−ＷＥＩＧＨＴ３｜＞Ｌが成立すると判別されると、ステップＳＴ９３に進んで、次フィールドの加重平均負荷率ＷＥＩＧＨＴ１を負荷率による発光パルス数ＷＩＴＳＵＳとして規定（ＷＩＴＳＵＳ＝ＷＥＩＧＨＴ１）する。一方、ステップＳＴ９２において、｜ＷＥＩＧＨＴ１−ＷＥＩＧＨＴ３｜＞Ｌが成り立たないと判別されると、ステップＳＴ９４に進んで、次フィールドの加重平均負荷率ＷＥＩＧＨＴ１と次フィールドよりも１フィールド前の現フィールドの加重平均負荷率ＷＥＩＧＨＴ２との差の絶対値が所定の値Ｍよりも大きいかどうか（｜ＷＥＩＧＨＴ１−ＷＥＩＧＨＴ２｜＞Ｍ？）を判別する。
【００５６】
ステップＳＴ９４において、｜ＷＥＩＧＨＴ１−ＷＥＩＧＨＴ２｜＞Ｍが成立すると判別されると、ステップＳＴ９６に進んで、次フィールドの加重平均負荷率ＷＥＩＧＨＴ１が現フィールドの加重平均負荷率ＷＥＩＧＨＴ２よりも大きいかどうか（ＷＥＩＧＨＴ１＞ＷＥＩＧＨＴ２？）を判別する。
【００５７】
ステップＳＴ９６において、ＷＥＩＧＨＴ１＞ＷＥＩＧＨＴ２が成立すると判別されると、ステップＳＴ９２で｜ＷＥＩＧＨＴ１−ＷＥＩＧＨＴ３｜＞Ｌが成立すると判別された場合と同様に、ステップＳＴ９３に進んで、次フィールドの加重平均負荷率ＷＥＩＧＨＴ１を負荷率による発光パルス数ＷＩＴＳＵＳとして規定（ＷＩＴＳＵＳ＝ＷＥＩＧＨＴ１）する。一方、ステップＳＴ９６において、ＷＥＩＧＨＴ１＞ＷＥＩＧＨＴ２が成立しないと判別されると、ステップＳＴ９５に進んで、現フィールドの加重平均負荷率ＷＥＩＧＨＴ２を負荷率による発光パルス数ＷＩＴＳＵＳとして規定（ＷＩＴＳＵＳ＝ＷＥＩＧＨＴ２）する。
【００５８】
また、ステップＳＴ９４において、｜ＷＥＩＧＨＴ１−ＷＥＩＧＨＴ２｜＞Ｍが成立しないと判別されると、ステップＳＴ９６でＷＥＩＧＨＴ１＞ＷＥＩＧＨＴ２が成立しないと判別された場合と同様に、ステップＳＴ９５に進んで、現フィールドの加重平均負荷率ＷＥＩＧＨＴ２を負荷率による発光パルス数ＷＩＴＳＵＳとして規定（ＷＩＴＳＵＳ＝ＷＥＩＧＨＴ２）する。
【００５９】
このように、図８に示す実施例では、表示負荷率の大きいフィールド（奇数フィールド）と小さいフィールド（偶数フィールド）が繰り返される場合、常に表示負荷率の大きいフィールドに基づいて発光パルス数が設定され、従って、消費電力の小さい発光パルス数が設定され、その結果、設定値よりも消費電力を大きくすることなくフリッカを抑制することができる。
【００６０】
すなわち、現フィールドと比較するだけでは、表示負荷率の大きい映像から小さい映像に変化する場合、１フィールド分制御が遅れ、１Ｖsync分だけ制御がきつく働くため輝度の低い映像が表示されることになる。そこで、図９に示されるように、図８を参照して説明した駆動方法は、奇数フィールドと偶数フィールドで負荷率が大きく異なり且つそれが繰り返している場合と、表示負荷率が大きく変化して映像が切り替わった場合を切り分けることによって、次フィールドと前フィールドの表示負荷率（すなわち、奇数フィールド同士、或いは、偶数フィールド同士）を比較し、一定値以上変化がある場合には、次フィールドの表示負荷率を優先し、それを基に発光パルス数を決定する。
【００６１】
図９は図８の駆動方法を適用した表示装置における輝度特性および電力特性を示す図である。
【００６２】
図９に示されるように、図８を参照して説明した駆動方法は、輝度（Ｂ２）は、図４（ａ）における低い方の輝度Ｂ２に保持され、また、消費電力Ｗは、その最大値が図４（ｂ）における一定の消費電力Ｗ１を超えないように制御される。すなわち、奇数フィールドにおける消費電力は、図４（ｂ）における一定の消費電力Ｗ１よりも小さいＷ４になり、また、偶数フィールドにおける消費電力は、消費電力Ｗ１になる。
【００６３】
このように、図８に示す実施例によれば、例えば、インターレース駆動時のフィールド間で表示負荷率が異なる場合、それにより発生するフリッカを抑制することができ、また、映像が切り替わり表示負荷率が大きく変動する場合にも、輝度低下といった弊害を生じることなくフリッカを抑制することができる。
【００６４】
（付記１）  少なくとも２つのフィールドの表示負荷率の平均に基づいてフィールド内の総発光パルス数を制御することを特徴とする表示装置の駆動方法。（１）
（付記２）  付記１に記載の表示装置の駆動方法において、該駆動方法は、予め定められた発光パルスで発光する複数の発光ブロックを組み合わせて中間調表示を行うことを特徴とする表示装置の駆動方法。
【００６５】
（付記３）  付記１に記載の表示装置の駆動方法において、前記２つのフィールドは、時間的に連続する２つのフィールドであることを特徴とする表示装置の駆動方法。
【００６６】
（付記４）  付記３に記載の表示装置の駆動方法において、前記２つのフィールドは、１画面をインターレース表示するときの奇数フィールドおよび偶数フィールドであることを特徴とする表示装置の駆動方法。
【００６７】
（付記５）  少なくとも３つのフィールドの表示負荷率の平均に基づいてフィールド内の総発光パルス数を制御することを特徴とする表示装置の駆動方法。（２）
（付記６）  付記５に記載の表示装置の駆動方法において、第１のフィールドと該第１のフィールドよりも１つ前の第２のフィールドとの表示負荷率の平均と、該第２のフィールドと該第１のフィールドよりも２つ前の第３のフィールドとの表示負荷率の平均とを比較することを特徴とする表示装置の駆動方法。（３）
（付記７）  付記６に記載の表示装置の駆動方法において、比較の結果、その差が閾値を超える場合には、前記第１のフィールドと前記第２のフィールドとの表示負荷率の平均に基づいてフィールド内の総発光パルス数を制御することを特徴とする表示装置の駆動方法。（４）
（付記８）  付記６に記載の表示装置の駆動方法において、比較の結果、その差が閾値を超えない場合には、前記第２のフィールドと前記第３のフィールドとの表示負荷率の平均に基づいてフィールド内の総発光パルス数を制御することを特徴とする表示装置の駆動方法。
【００６８】
（付記９）  少なくとも２つのフィールドの表示負荷率の比較に基づいてフィールド内の総発光パルス数を制御することを特徴とする表示装置の駆動方法。（５）
（付記１０）  付記９に記載の表示装置の駆動方法において、第１のフィールドの表示負荷率と、該第１のフィールドよりも１つ前の第２のフィールドの表示負荷率とを比較し、その差が閾値を超える場合には、該第１のフィールドの表示負荷率と該第２のフィールドの表示負荷率とを比較し、該第１または第２のフィールドの表示負荷率のうちで大きい方の表示負荷率に基づいてフィールド内の総発光パルス数を制御することを特徴とする表示装置の駆動方法。
【００６９】
（付記１１）  付記９に記載の表示装置の駆動方法において、第１のフィールドの表示負荷率と、該第１のフィールドよりも１つ前の第２のフィールドの表示負荷率とを比較し、その差が閾値を超えない場合には、該第２のフィールドの表示負荷率に基づいてフィールド内の総発光パルス数を制御することを特徴とする表示装置の駆動方法。
【００７０】
（付記１２）  付記１０または１１に記載の表示装置の駆動方法において、前記第２のフィールドは現フィールドであり、前記第１のフィールドは次フィールドであることを特徴とする表示装置の駆動方法。
【００７１】
（付記１３）  付記９に記載の表示装置の駆動方法において、該駆動方法は、予め定められた発光パルスで発光する複数の発光ブロックを組み合わせて中間調表示を行うことを特徴とする表示装置の駆動方法。
【００７２】
（付記１４）  付記９に記載の表示装置の駆動方法において、前記第１のフィールドの表示負荷率と、該第１のフィールドよりも２つ前の第３のフィールドの表示負荷率とを比較し、その差が閾値を超える場合には、該第１のフィールドの表示負荷率に基づいてフィールド内の総発光パルス数を制御することを特徴とする表示装置の駆動方法。
【００７３】
（付記１５）  付記９に記載の表示装置の駆動方法において、前記第１のフィールドの表示負荷率と、該第１のフィールドよりも２つ前の第３のフィールドの表示負荷率とを比較し、その差が閾値を超えない場合には、該第１のフィールドの表示負荷率と該第１のフィールドよりも１つ前の第２のフィールドの表示負荷率とを比較し、その差が閾値を超えない場合には、該第２のフィールドの表示負荷率に基づいてフィールド内の総発光パルス数を制御することを特徴とする表示装置の駆動方法。
【００７４】
（付記１６）  付記９に記載の表示装置の駆動方法において、前記第１のフィールドの表示負荷率と、該第１のフィールドよりも２つ前の第３のフィールドの表示負荷率とを比較し、その差が閾値を超えない場合には、該第１のフィールドの表示負荷率と該第１のフィールドよりも１つ前の第２のフィールドの表示負荷率とを比較し、その差が閾値を超える場合には、該第１のフィールドの表示負荷率と該第２のフィールドの表示負荷率とを比較し、該第１または第２のフィールドの表示負荷率のうちで大きい方の表示負荷率に基づいてフィールド内の総発光パルス数を制御することを特徴とする表示装置の駆動方法。
【００７５】
（付記１７）  付記１４〜１６のいずれか１項に記載の表示装置の駆動方法において、前記第２のフィールドは現フィールドであり、前記第１のフィールドは次フィールドであり、そして、前記第３のフィールドは前フィールドであることを特徴とする表示装置の駆動方法。
【００７６】
（付記１８）  付記１〜１６のいずれか１項に記載の表示装置の駆動方法により得られる表示負荷率に基づいた発光パルス数と、消費電力に基づいた発光パルス数とを比較し、その発光パルス数が小さい方をフィールド内の総発光パルス数として制御することを特徴とする表示装置の駆動方法。
【００７７】
（付記１９）  表示パネル部と、
画像信号を受け取って表示装置に適した画像データを該表示パネル部に供給し、該画像信号から表示負荷率を算出して出力するデータコンバータと、
前記表示パネル部に電力を供給すると共に、該表示パネル部で消費される電力情報を出力する電源部と、
前記表示負荷率および前記消費電力情報を受け取り、付記１８に記載の表示装置の駆動方法を適用する電力制御回路とを備えることを特徴とする表示装置。
【００７８】
【発明の効果】
以上、詳述したように、本発明によれば、フリッカ等の画質の劣化を招くことなく消費電力の制御を行うことのできる表示装置およびその駆動方法を提供することができる。
【図面の簡単な説明】
【図１】本発明が適用される表示装置の一例を示すブロック図である。
【図２】図１に示す表示装置における駆動方法の一例を説明するための図である。
【図３】従来の表示装置における駆動方法の一例を示すフローチャートである。
【図４】図３の駆動方法を適用した表示装置における輝度特性および電力特性を示す図である。
【図５】本発明に係る表示装置における駆動方法の一例を示すフローチャート（その１）である。
【図６】本発明に係る表示装置における駆動方法の一例を示すフローチャート（その２）である。
【図７】図５および図６の駆動方法を適用した表示装置における輝度特性および電力特性を示す図である。
【図８】本発明に係る表示装置における駆動方法の他の例を示すフローチャートである。
【図９】図８の駆動方法を適用した表示装置における輝度特性および電力特性を示す図である。
【符号の説明】
１…データコンバータ
２…フレームメモリ
３…電力制御回路
４…ドライバ制御回路
５…電源
６…アドレスドライバ
７…Ｙドライバ
８…Ｘドライバ
９…表示パネル
【図１】
0004612984.tif 000002
【図２】
0004612984.tif 000003
【図３】
0004612984.tif 000004
【図４】
0004612984.tif 000005
【図５】
0004612984.tif 000006
【図６】
0004612984.tif 000007
【図７】
0004612984.tif 000008
【図８】
0004612984.tif 000009
【図９】
0004612984.tif 000010